(57)【要約】【課題】建具自体で上枠の垂れ下がりを抑制することができる浴室用建具を提供する。【解決手段】浴室用建具１は、上下方向に延び、幅方向に離間して配置された一対の縦枠２３と、一対の縦枠２３の上部どうしを連結する上枠２１と、縦枠２３及び上枠２１の上端部の少なくとも一方に支持され、上枠２１の上方に配置された補強材３と、障子４Ａ，４Ｂと、を備え、補強材３は、上枠２１に連結され、上枠２１の上方には補強材３との間に、空間Ｓ１が形成されていることを特徴とする。【選択図】図２
2020105837.tif 000002
【特許請求の範囲】
【請求項１】
上下方向に延び、幅方向に離間して配置された一対の縦枠と、
該一対の縦枠の上部どうしを連結する上枠と、
前記縦枠及び前記上枠の上端部の少なくとも一方に支持され、前記上枠の上方に配置された補強材と、を備え、
前記補強材は、前記上枠に連結されていることを特徴とする浴室用建具。
【請求項２】
前記上枠の上方には前記補強材との間に、空間が形成されている請求項１に記載の浴室用建具。
【請求項３】
前記上枠に前記幅方向に沿って移動可能に支持された走行体と、
該走行体に吊り下げられた框体と、
該框体内に配置された重量面材と、を有する障子を備えている請求項１または２に記載の浴室用建具。
【請求項４】
前記縦枠と前記上枠とは、第一螺子で連結され、
前記上枠は、
前記補強材と第二螺子で連結される連結板部と、
該連結板部の下方に配置され、前記第一螺子が螺合される螺子溝が形成された螺子板部と、を有し、
前記螺子板部には、前記第二螺子が挿通可能とされた挿通孔が形成されている請求項１から３のいずれか一項に記載の浴室用建具。
【発明の詳細な説明】
【技術分野】
【０００１】
本発明は、浴室用建具に関するものである。
【背景技術】
【０００２】
従来から、浴室と脱衣室等との開口部には、上吊り式の引き戸等の浴室用建具が設置されている。このような建具として、枠体の上枠が、浴室の天井パネルに連結金具で連結されたものが提案されている（例えば下記の特許文献１参照）。
【先行技術文献】
【特許文献】
【０００３】
【特許文献１】特開２０１７−１１５５２７号公報
【発明の概要】
【発明が解決しようとする課題】
【０００４】
上記の特許文献１の浴室用建具では、連結金具を介して、天井パネルが建具の自重を支持しなくてはならないため、天井パネルの強度の低いと、設置できなかったり、上枠が垂れ下がってきてしまったりするという問題点がある。
【０００５】
そこで、本発明は、上記事情に鑑みてなされたものであり、建具自体で上枠の垂れ下がりを抑制することができる浴室用建具を提供する。
【課題を解決するための手段】
【０００６】
上記目的を達成するために、本発明は以下の手段を採用している。
すなわち、本発明に係る浴室用建具は、上下方向に延び、幅方向に離間して配置された一対の縦枠と、該一対の縦枠の上部どうしを連結する上枠と、前記縦枠及び前記上枠の上端部の少なくとも一方に支持され、前記上枠の上方に配置された補強材と、を備え、前記補強材は、前記上枠に連結されていることを特徴とする。
【０００７】
このように構成された浴室用建具では、上枠の上方に配置された補強材は、縦枠に支持されている。上枠と縦枠とは、連結されている。よって、上枠は、縦枠に支持された補強材を介して、縦枠に支持されているため、上枠の幅方向の中央が垂れ下がることが抑制される。また、上枠は浴室用建具の構成要素である補強材及び縦枠に支持されているため、上枠の垂れ下がりは建具自体で解決される。
【０００８】
また、本発明に係る浴室用建具は、前記上枠の上方には前記補強材との間に、空間が形成されていてもよい。
【０００９】
このように構成された浴室用建具では、上枠の上方には補強材との間に空間が形成されているため、上枠の幅方向の中央が上向きに反り返るように吊り上げて、上枠の垂れ下がりの調整幅を確保することもできる。
【００１０】
また、本発明に係る浴室用建具は、前記上枠に前記幅方向に沿って移動可能に支持された走行体と、該走行体に吊り下げられた框体と、該框体内に配置された重量面材と、を有する障子を備えていてもよい。
【００１１】
このように構成された浴室用建具では、上枠は走行体を支持し、走行体には框体が吊り下げられ、框体内には重量面材が配置されている。つまり、障子には重量面材が設けられているため障子自体の自重が重く、この荷重が上枠に作用する。このように自重が重い障子を備えた建具においても、上枠の幅方向の中央の垂れ下がりを、建具自体で抑制することができる。
【００１２】
また、本発明に係る浴室用建具では、前記縦枠と前記上枠とは、第一螺子で連結され、前記上枠は、前記補強材と第二螺子で連結される連結板部と、該連結板部の下方に配置され、前記第一螺子が螺合される螺子溝が形成された螺子板部と、を有し、前記螺子板部には、前記第二螺子が挿通可能とされた挿通孔が形成されていてもよい。
【００１３】
このように構成された浴室用建具では、補強材を上枠の連結板部に連結する第二螺子を、連結板部の下方に配置された螺子板部の挿通孔を挿通させて、上枠と補強材とを螺子止めすればよい。よって、上枠の下方から螺子止め作業を行うことができるため、作業性が良い。
【発明の効果】
【００１４】
本発明に係る浴室用建具によれば、建具自体で上枠の垂れ下がりを抑制することができる。
【図面の簡単な説明】
【００１５】
【図１】本発明の一実施形態に係る浴室用建具を備えた浴室ユニットの斜視図である。
【図２】本発明の一実施形態に係る浴室用建具を洗面所側から見た正面図である。
【図３】本発明の一実施形態に係る浴室用建具の上部の構成を示す斜視図である。
【図４】図２のＡ−Ａ線断面図である。
【図５】本発明の一実施形態の変形例１に係る浴室用建具において、図２のＡ−Ａ線断面図に対応する断面図である。
【図６】本発明の一実施形態の変形例２に係る浴室用建具において、図２のＡ−Ａ線断面図に対応する断面図である。
【図７】本発明の一実施形態の変形例３に係る浴室用建具において、図２のＡ−Ａ線断面図に対応する断面図である。
【図８】本発明の一実施形態の変形例４に係る浴室用建具において、図２のＡ−Ａ線断面図に対応する断面図である。
【図９】本発明の一実施形態の変形例５に係る浴室用建具の上部の構成を示す斜視図である。
【図１０】本発明の一実施形態の変形例６に係る浴室用建具を備えた浴室ユニットの斜視図である。
【図１１】本発明の一実施形態の変形例６に係る浴室用建具を浴室ユニット側から見た斜視図である。
【図１２】本発明の一実施形態の変形例６に係る浴室用建具の縦断面図である。
【発明を実施するための形態】
【００１６】
本発明の一実施形態に係る浴室用建具について、図面を用いて説明する。
以下では、浴室用建具が設置された浴室ユニットを例に説明するが、浴室用建具は浴室ユニットに限らず、在来工法により施工された浴室においても適用可能である。
図１は、本発明の一実施形態に係る浴室用建具を備えた浴室ユニットの斜視図である。
図１に示すように、浴室ユニット１００は、建物の躯体内にフレームとパネルとを用いて、床１０１、壁１０２、天井（不図示）、浴槽１０４及び洗い場１０５等を組み立てて設置される。浴槽１０４と洗い場１０５との境界部分には、浴槽１０４の側面を覆うエプロン１０６が設けられている。浴室ユニット１００内の空間は、３方に立設された複数の壁１０２（図１では２方のみ示している）及び浴室用建具１により形成されている。
【００１７】
浴室ユニット１００の複数の壁１０２のうち、一の壁１０２Ａには、シャワー器具１１１、水栓１１２及び鏡１１３等が設けられている。
【００１８】
浴室用建具１は、浴室ユニット１００と洗面所１２０との間の開口部Ｗに設置されている。
以下の説明において、開口部Ｗに設けられた浴室用建具１を見たときに、左側と右側とを結ぶ方向を幅方向とし、上側と下側とを結ぶ方向を上下方向とする。また、幅方向に直交する水平方向を奥行方向とする。奥行方向のうち、浴室ユニット１００側を奥側とし、洗面所１２０側を手前側とする。
【００１９】
図２は、浴室用建具１を手前側から見た正面図である。
図２に示すように、浴室用建具１は、枠体２と、補強材３と、一対の障子４Ａ，４Ｂと、を備えている。
枠体２は、開口部Ｗに設けられ、四角形枠状に形成されている。枠体２は、幅方向に延在する上枠２１及び下枠２２と、上枠２１の幅方向の両端部と下枠２２の幅方向の両端部とをそれぞれ連結し上下方向に延在する縦枠２３と、を有している。本実施形態では、枠体２は、アルミ形材で構成されている。縦枠２３は、幅方向両側の壁（不図示）に螺子等で固定されている。
【００２０】
補強材３は、上枠２１の上方に配置されている。
図３は、浴室用建具１の上部の構成を示す斜視図である。
図３に示すように、縦枠２３の上端面２３ｕと上枠２１の上端面２１ｕとは、略同一高さに配置されている。縦枠２３の上端面２３ｕ上には、スペーサ２６が設けられている。本実施形態では、スペーサ２６は直方体状に形成されているが、スペーサ２６は所定の高さを有していれば、形状は適宜設定可能である。スペーサ２６は、例えば鋼材、合成樹脂等で構成されている。
【００２１】
図２に示すように、補強材３は、幅方向に延びている。補強材３の長手方向（幅方向）の長さは、上枠２１の長手方向（幅方向）の長さと略同一である。
【００２２】
補強材３の長手方向の両端部３ｅは、スペーサ２６上に支持されている。補強材３の両端部３ｅは、スペーサ２６上に載置されていてスペーサ２６に固定されていなくてもよく、あるいはスペーサ２６に螺子等で固定されていてもよい。
【００２３】
補強材３は、上枠２１よりも、スペーサ２６の高さ分上方に配置されている。換言すると、補強材３と上枠２１との間には、空間Ｓ１が形成されている。空間Ｓ１は、幅方向両側のスペーサ２６間に、幅方向に連続して形成されている。
【００２４】
図３に示すように、補強材３は、奥行方向に沿う断面において、Ｃ字状をなしている。本実施形態では、補強材３は、Ｃ形鋼が採用されている。補強材３は、上板部３１と、鉛直板部３２と、下板部３３と、を有している。
【００２５】
上板部３１は、板状に形成されている。上板部３１は、板厚方向を上下方向に向けて配置されている。上板部３１には、後述する下板部３３と上枠２１とを連結する螺子３３ｓに対応する箇所に、上下方向に貫通する挿通孔３１ｈが形成されている。
【００２６】
鉛直板部３２は、上板部３１の奥側の端部から下方に向かって延びている。鉛直板部３２は、板状に形成されている。鉛直板部３２は、板厚方向を奥行方向に向けて配置されている。
【００２７】
下板部３３は、鉛直板部３２の下端部から手前側に向かって延びている。下板部３３は、板状に形成されている。下板部３３は、板厚方向を上下方向に向けて配置されている。下板部３３には、上下方向に貫通する取付孔３３ｈ（図４参照。以下同じ。）が形成されている。取付孔３３ｈは、補強材３の上板部３１の挿通孔３１ｈと対応した箇所、つまり上板部３１の挿通孔３１ｈの直下に形成されている。
【００２８】
次に、補強材３の上枠２１への取付構造について説明する。
まず、上枠２１の構成について説明する。
図４は、図２のＡ−Ａ線断面図である。
図４に示すように、上枠２１は、上面板部２１１と、第一鉛直板部２１２と、第二鉛直板部２１３と、取付板部２１４と、区画板部２１５と、支持壁部２１６ａ，２１６ｂ，２１６ｃ，２１６ｄと、を有している。
【００２９】
上面板部２１１は、板状に形成されている。上面板部２１１は、板厚方向を上下方向に向けて配置されている。上面板部２１１は、上枠２１の上面を形成している。上面板部２１１には、上下方向に貫通する取付孔２１１ｈが形成されている。取付孔２１１ｈは、補強材３の下板部３３の取付孔３３ｈと対応した箇所、つまり下板部３３の取付孔３３ｈの直下に形成されている。
【００３０】
第一鉛直板部２１２は、上面板部２１１の奥側の端部から下方に延びている。第一鉛直板部２１２は、板状に形成されている。第一鉛直板部２１２は、板厚方向を奥行方向に向けて配置されている。
【００３１】
第二鉛直板部２１３は、上面板部２１１の手前側の端部から下方に延びている。第二鉛直板部２１３は、板状に形成されている。第二鉛直板部２１３は、板厚方向を奥行方向に向けて配置されている。
【００３２】
取付板部２１４は、上面板部２１１の下方に配置されている。取付板部２１４は、板状に形成されている。取付板部２１４は、板厚方向を上下方向に向けて配置されている。取付板部２１４の奥側の端部は、第一鉛直板部２１２の上下方向の中間部分に連結されている。取付板部２１４の手前側の端部は、第二鉛直板部２１３の上下方向の中間部分に連結されている。取付板部２１４は、上枠１１の長手方向の略全長にわたって設けられている。
【００３３】
取付板部２１４の上面には、下方に凹む螺子溝２１４ｇが形成されている。螺子溝２１４ｇは、取付板部２１４の奥行方向に沿って２箇所に形成されている。螺子溝２１４ｇは、上枠２１の長手方向に沿って延びている。
【００３４】
縦枠２３の上端部に形成された取付孔（不図示）から挿通された螺子（第一螺子）２３ｓが、螺子溝２１４ｇに螺合されている。これにより、縦枠２３の上端部は上枠２１に連結されている。
【００３５】
区画板部２１５は、取付板部２１４の奥行方向の中間から下方に延びている。区画板部２１５は、板状に形成されている。区画板部２１５は、板厚方向を奥行方向に向けて配置されている。
【００３６】
支持壁部２１６ａは、第一鉛直板部２１２の上下方向の中間部分から手前側に向かって延びている。支持壁部２１６ｂは、区画板部２１５の上下方向の中間部分から奥側に向かって延びている。支持壁部２１６ｃは、区画板部２１５の上下方向の中間部分から手前側に向かって延びている。支持壁部２１６ｄは、第二鉛直板部２１３の上下方向の中間部分から奥側に向かって延びている。
【００３７】
補強材３の下板部３３の取付孔３３ｈに挿通された螺子３３ｓは、上枠２１の上面板部２１１の取付孔２１１ｈに螺合されている。螺子止めする際には、補強材３の上板部３１の挿通孔３１ｈに螺子３３ｓを挿通させて、補強材３の下板部３３の取付孔３３ｈから螺子３３ｓをねじ込み、上枠２１の上面板部２１１の取付孔２１１ｈに螺合させる。本実施形態では、螺子３３ｓは、補強材３の長手方向に１箇所にのみ設けられているが、幅方向に沿って複数箇所に設けられていてもよい。螺子止め箇所を複数設けることで、螺子１本が負担する負荷が小さくなる。
【００３８】
図２に示すように、障子４Ａは、奥側に配置されている。障子４Ｂは、手前側に配置されている。以下の説明において、障子４を総称して、障子４と称することがある。
各障子４は、框体４０と、ガラス（重量面材）５０と、を有している。
【００３９】
框体４０は、四角形枠状に形成されている。框体４０は、幅方向に延在する上框４１及び下框４２と、上框４１の幅方向の両端部と下框４２の幅方向の両端部とをそれぞれ連結し上下方向に延在する縦框４３と、を有している。本実施形態では、框体４０は、アルミ形材で構成されている。
【００４０】
図４に示すように、上框４１には、吊り車（走行体）４６が設けられている。換言すると、吊り車４６には、上框４１が吊り下げられている。吊り車４６は、上框４１の長手方向（幅方向）の両端部に設けられている。
【００４１】
障子４Ａの吊り車４６は、上枠２１の支持壁部２１６ａ，２１６ｂに支持されて、幅方向に走行可能とされている。障子４Ｂの吊り車４６は、上枠２１の支持壁部２１６ｃ，２１６ｄに支持されて、幅方向に走行可能とされている。
【００４２】
ガラス５０は、框体４０内に設けられている。本実施形態では、重量面材として強化ガラス等のガラス５０が採用されているが、他にも鋼板パネルであってもよい。また、一対の障子４のうち一方をガラスとして、他方を鋼板パネルとして目隠しできるようにしてもよい。なお、框体４０内に、重量面材に替えて樹脂パネルが設けられていてもよい。
【００４３】
このように構成された浴室用建具１では、上枠２１の上方に配置された補強材３は縦枠２３に支持されている。上枠２１と縦枠２３とは、連結されている。よって、上枠２１は、縦枠２３に支持された補強材３を介して、縦枠２３に支持されているため、上枠２１の幅方向の中央が垂れ下がることが抑制される。また、上枠２１は浴室用建具１の構成要素である補強材３及び縦枠２３に支持されているため、上枠２１の垂れ下がりは建具自体で解決される。
【００４４】
また、上枠２１の上方には補強材３との間に空間Ｓ１が形成されているため、上枠２１の幅方向の中央が上向きに反り返るように螺子３３ｓで吊り上げて、上枠２１の垂れ下がりの調整幅を確保することもできる。
【００４５】
また、上枠２１は吊り車４６を支持し、吊り車４６には框体４０が吊り下げられ、框体４０内にはガラス５０が配置されている。つつまり、障子４にはガラス５０が設けられているため障子４自体の自重が重く、この荷重が上枠２１に作用する。このように自重が重い障子４を備えた建具においても、上枠２１の幅方向の中央の垂れ下がりを、建具自体で抑制することができる。
【００４６】
（変形例１）
次に、本発明の一実施形態の変形例１に係る浴室用建具について、主に図５を用いて説明する。
下記に示す変形例の説明において、前述した部材と同一の部材には同一の符号を付して、その説明を省略する。
図５は、本発明の一実施形態の変形例１に係る浴室用建具において、図２のＡ−Ａ線断面図に対応する断面図である。
図５に示すように、本変形例では、上枠２１の上面板部２１１の下面２１１ｄに沿って、補強板２１８が設けられている。例えば、補強板２１８は、鋼板等で構成されている。
【００４７】
補強板２１８には、上下方向に貫通する取付孔２１８ｈが形成されている。取付孔２１８ｈは、上枠２１の上面板部２１１の取付孔２１１ｈと対応した箇所、つまり上面板部２１１の取付孔２１１ｈの直下に形成されている。
【００４８】
補強材３の下板部３３の取付孔３３ｈに挿通された螺子３３ｓは、上枠２１の上面板部２１１の取付孔２１１ｈに挿通され、補強板２１８の取付孔２１８ｈに螺合されている。
【００４９】
このように構成された浴室用建具１Ａでは、上枠２１の上方に配置された補強材３は、縦枠２３に支持されている。上枠２１と縦枠２３とは、連結されている。よって、上枠２１は、縦枠２３に支持された補強材３を介して、縦枠２３に支持されているため、上枠２１の幅方向の中央が垂れ下がることが抑制される。また、上枠２１は浴室用建具１Ａの構成要素である補強材３及び縦枠２３に支持されているため、上枠２１の垂れ下がりは建具自体で解決される。
【００５０】
上枠２１の上面板部２１１の下面２１１ｄに沿って補強板２１８が設けられているため、上枠２１自体の強度が高められ、上枠２１の垂れ下がりが一層抑制される。
【００５１】
（変形例２）
次に、本発明の一実施形態の変形例２に係る浴室用建具について、主に図６を用いて説明する。
図６は、本発明の一実施形態の変形例２に係る浴室用建具において、図２のＡ−Ａ線断面図に対応する断面図である。
図６に示すように、本変形例では、補強材３Ｂは、奥行方向に沿う断面において、矩形状をなしている。例えば、補強材３Ｂとして、角管を採用することができる。なお、補強材３Ｂの形状は、奥行方向に沿う断面において、Ｃ字状をなしたり、矩形状をなしたりする他にも適宜設定可能である。
【００５２】
補強材３Ｂは、上板部３１と、鉛直板部３２と、下板部３３と、連結板部３４と、を有している。連結板部３４は、上板部３１の手前側の端部と下板部３３の手前側の端部とを連結している。連結板部３４は、板状に形成されている。連結板部３４は、板厚方向を奥行方向に向けて配置されている。
【００５３】
また、本変形例においても、図５に示すように、上枠２１の上面板部２１１の下面２１１ｄに沿って、補強板２１８が設けられていてもよい。
【００５４】
このように構成された浴室用建具１Ｂでは、上枠２１の上方に配置された補強材３Ｂは、縦枠２３に支持されている。上枠２１と縦枠２３とは、連結されている。よって、上枠２１は、縦枠２３に支持された補強材３Ｂを介して、縦枠２３に支持されているため、上枠２１の幅方向の中央が垂れ下がることが抑制される。また、上枠２１は浴室用建具１Ｂの構成要素である補強材３Ｂ及び縦枠２３に支持されているため、上枠２１の垂れ下がりは建具自体で解決される。
【００５５】
（変形例３）
次に、本発明の一実施形態の変形例３に係る浴室用建具について、主に図７を用いて説明する。
図７は、本発明の一実施形態の変形例３に係る浴室用建具において、図２のＡ−Ａ線断面図に対応する断面図である。
図７に示すように、本変形例では、補強材３の下板部３３は、上枠２１の上面板部２１１の上面２１１ｕに当接配置されている。換言すると、上枠２１の上方には、補強材３との間に、空間Ｓ１が形成されていない。
【００５６】
このように構成された浴室用建具１Ｃでは、上枠２１の上方に配置された補強材３は、縦枠２３に支持されている。上枠２１と縦枠２３とは、連結されている。よって、上枠２１は、縦枠２３に支持された補強材３を介して、縦枠２３に支持されているため、上枠２１の幅方向の中央が垂れ下がることが抑制される。また、上枠２１は浴室用建具１Ｃの構成要素である補強材３及び縦枠２３に支持されているため、上枠２１の垂れ下がりは建具自体で解決される。
【００５７】
（変形例４）
次に、本発明の一実施形態の変形例４に係る浴室用建具について、主に図８を用いて説明する。
図８は、本発明の一実施形態の変形例４に係る浴室用建具において、図２のＡ−Ａ線断面図に対応する断面図である。
図８に示すように、本変形例では、上枠２１の上面板部（連結板部）２１１に対して、下方から螺子止めされている。
【００５８】
上枠２１の上面板部２１１には、上下方向に貫通する取付孔２１１ｊが形成されている。取付孔２１１ｊは、奥行方向に沿って２箇所に形成されている。
【００５９】
上枠２１の取付板部（螺子板部）２１４には、上下方向に貫通する挿通孔２１４ｈが形成されている。挿通孔２１４ｈは、奥行方向に沿って２箇所に形成されている。挿通孔２１４ｈは、上面板部２１１の取付孔２１１ｊと対応した箇所、つまり上面板部２１１の取付孔２１１ｊの直下に形成されている。
【００６０】
補強材３Ｄの下板部３３Ｄには、上下方向に貫通する取付孔３３ｊが形成されている。取付孔３３ｊは、奥行方向に沿って２箇所に形成されている。取付孔３３ｊは、上面板部２１１の取付孔２１１ｊと対応した箇所、つまり上面板部２１１の取付孔２１１ｊの直上に形成されている。
【００６１】
上枠２１の上面板部２１１に挿通された螺子（第二螺子）２１ｓは、補強材３Ｄの下板部３３Ｄの取付孔３３ｊに螺合されている。螺子止めする際には、上枠２１の取付板部２１４の挿通孔２１４ｈに螺子２１ｓを挿通させて、上面板部２１１の取付孔２１１ｊから螺子２１ｓをねじ込み、補強材３Ｄの下板部３３Ｄの取付孔３３ｊに螺合させる。本実施形態では、螺子３３ｓは、奥行方向に沿って２箇所に設けられているが、１箇所でも３箇所以上でもよい。
【００６２】
このように構成された浴室用建具１Ｄでは、上枠２１の上方に配置された補強材３Ｄは、縦枠２３に支持されている。上枠２１と縦枠２３とは、連結されている。よって、上枠２１は、縦枠２３に支持された補強材３Ｄを介して、縦枠２３に支持されているため、上枠２１の幅方向の中央が垂れ下がることが抑制される。また、上枠２１は浴室用建具１Ｄの構成要素である補強材３Ｄ及び縦枠２３に支持されているため、上枠２１の垂れ下がりは建具自体で解決される。
【００６３】
また、補強材３Ｄを上枠２１の上面板部２１１に連結する螺子２１ｓを、上面板部２１１の下方に配置された取付板部２１４の挿通孔２１４ｈを挿通させて、上枠２１と補強材３Ｄとを螺子止めすればよい。よって、上枠２１の下方から螺子止め作業を行うことができるため、作業性が良い。
【００６４】
（変形例５）
次に、本発明の一実施形態の変形例５に係る浴室用建具について、主に図９を用いて説明する。
図９は、本発明の一実施形態の変形例５に係る浴室用建具の上部の構成を示す斜視図である。
図９に示すように、本変形例では、縦枠２３Ｅの上端面２３ｕは、上枠２１の上端面２１ｕよりも上方に配置されている。換言すると、縦枠２３Ｅは、上枠２１よりも上方まで延びている。
【００６５】
縦枠２３Ｅの上端面２３ｕには、補強材３の長手方向の端部３ｅが設置されている。換言すると、補強材３の長手方向の端部３ｅは、縦枠２３Ｅの上端面２３ｕに支持されている。上枠２１の上方には、補強材３との間に、空間Ｓ１が形成されている。
【００６６】
このように構成された浴室用建具１Ｅでは、上枠２１の上方に配置された補強材３は、縦枠２３Ｅに支持されている。上枠２１と縦枠２３Ｅとは、連結されている。よって、上枠２１は、縦枠２３Ｅに支持された補強材３を介して、縦枠２３Ｅに支持されているため、上枠２１の幅方向の中央が垂れ下がることが抑制される。また、上枠２１は浴室用建具１Ｅの構成要素である補強材３及び縦枠２３Ｅに支持されているため、上枠２１の垂れ下がりは建具自体で解決される。
【００６７】
縦枠２３Ｅを上枠２１よりも上方まで延ばす構成とすることで、上枠２１と補強材３との間に空間Ｓ１を形成することができる。
【００６８】
（変形例６）
次に、本発明の一実施形態の変形例６に係る浴室用建具について、主に図１０〜図１２を用いて説明する。
図１０は、本発明の一実施形態の変形例６に係る浴室用建具を備えた浴室ユニットの斜視図である。図１１は、本発明の一実施形態の変形例６に係る浴室用建具を浴室ユニット側から見た斜視図である。図１２は、本発明の一実施形態の変形例６に係る浴室用建具の縦断面図である。
図１０に示すように、本変形例では、浴室ユニット１００Ｆには、浴槽１０４が設置され、洗い場は設置されていない。浴室用建具１Ｆは、浴槽１０４と洗面所１２０との間に設置されている。本実施形態では、洗面所１２０に便器１２１が設置されているが、洗面所１２０内の設備は適宜設定可能である。
【００６９】
図１１に示すように、浴室用建具１Ｆは、枠体２Ｆと、一対の障子４Ａ，４Ｂと、を備えている。なお、浴室用建具１Ｆは、上記のいずれかの補強材３〜３Ｄを備えていてもよい。
【００７０】
枠体２Ｆは、幅方向に延在する上枠２１及び下枠２２と、上枠２１の幅方向の両端部と下枠２２の幅方向の両端部とをそれぞれ連結し上下方向に延在する縦枠２３Ｆと、を有している。
【００７１】
縦枠２３Ｆは、下枠２２よりも下方にまで延びている。縦枠２３Ｆの下端部どうしは、つなぎ材２４で連結されている。つなぎ材２４は、アルミ形材で構成されている。
【００７２】
縦枠２３Ｆの奥側（浴室ユニット１００Ｆ側）の端部において、下部の端部２３ａは、それより上方部分の端部２３ｂよりも手前側にセットバックしている。換言すると、縦枠２３Ｆの下部では、手前側に凹む切り欠き２５が形成されている。
【００７３】
図１２に示すように、下枠２２の奥側の部分２２ａは、浴槽１０４の縁部１０４ｅに支持されている。
【００７４】
図１２に示す見込み寸法Ａ１は、本実施形態において、枠体２Ｆにおける手前側の部分２ａから、浴槽１０４の縁部１０４ｅにおける内周側の部分１０４ｆまでの距離を示している。
【００７５】
図１２の二点鎖線は、縦枠２３Ｆに切り欠き２５が形成されず、浴槽１０４の縁部１０４ｅが枠体２Ｆにおける奥側の面（端部２３ｂ）に沿って配置された仕様を示している。見込み寸法Ａ２は、この仕様において、枠体２Ｆにおける手前側の部分２ａから、浴槽１０４の縁部１０４ｅにおける内周側の部分１４ｆまでの距離を示している。
【００７６】
見込み寸法Ａ２は、見込み寸法Ａ１よりも、切り欠き２５部分の奥行寸法Ｂ分長くなっている。よって、二点鎖線で示す仕様では、浴室ユニット内に空間が奥行寸法Ｂ分狭くなり、浴槽や洗い場等のスペースが狭くなってしまう。
【００７７】
本実施形態の見込み寸法Ａ１は、見込み寸法Ａ２よりも、切り欠き２５部分の奥行寸法Ｂ分短くなっている。つまり、浴室用建具１Ｆでは、縦枠２３Ｆに切り欠き２５が形成されているため、見込み寸法Ａ１を短くでき、大きな浴槽１０４を設置したりして、スペースを有効活用することができる。
【００７８】
なお、本発明に係る浴室用建具１は、上述した実施形態に限定されるものではなく、本発明の要旨を逸脱しない範囲で適宜の変更や置換等が可能である。
【００７９】
上記に示す実施形態では、補強材３は縦枠２３に支持されているが、本発明はこれに限られず、補強材が上枠に支持される構成であってもよい。上枠は縦枠に連結されているため、縦枠は上枠を介して補強材の自重を負担することができる。
【符号の説明】
【００８０】
１…浴室用建具
２…枠体
３…補強材
４，４Ａ，４Ｂ…障子
２１…上枠
２１ｓ…螺子（第二螺子）
２２…下枠
２３…縦枠
２３ｓ…螺子（第一螺子）
３１…上板部
３２…鉛直板部
３３…下板部
４０…框体
４１…上框
４２…下框
４３…縦框
４６…吊り車（走行体）
５０…ガラス（重量面材）
１００…浴室ユニット
１０１…床
１０４…浴槽
１０５…洗い場
２１１…上面板部（連結板部）
２１４…取付板部（螺子板部）
Ｗ…開口部
Ｓ１…空間
【図１】
2020105837.tif 000003
【図２】
2020105837.tif 000004
【図３】
2020105837.tif 000005
【図４】
2020105837.tif 000006
【図５】
2020105837.tif 000007
【図６】
2020105837.tif 000008
【図７】
2020105837.tif 000009
【図８】
2020105837.tif 000010
【図９】
2020105837.tif 000011
【図１０】
2020105837.tif 000012
【図１１】
2020105837.tif 000013
【図１２】
2020105837.tif 000014